(57)【要約】      （修正有）【課題】指先だけの押圧操作のみで随時膨張又は収縮して扁平状にすることが可能であり、かつ製品の梱包、物流や搬送等に要するコストの低減に寄与する生活雑貨を提供する。【解決手段】生活雑貨Ａの一つである指先運動具Ａ１を膨縮手段（空気吸排具）３により膨張させた時の状態を示している。指先運動具Ａ１は、外層体１と内層体２とからなり、外層体１又は内層体２の一部に外層体１又は外層体１と内層体２を膨張又は／及び収縮させる膨縮手段３が備えられている。外層体１及び内層体２は、伸縮可能な繊維生地体、例えばナイロン、ポリエステル又はポリウレタン等が好ましく、また軟質樹脂材のポリ塩化ビニール等も外層体１及び内層体２の素材として好適である。【選択図】図１
0003183468.tif 000002
【実用新案登録請求の範囲】
【請求項１】
外層体又は外層体と内層体とからなり、前記外層体又は内層体の一部に前記外層体又は外層体と内層体を膨張又は／及び収縮させる膨縮手段が備えられていることを特徴する生活雑貨。
【請求項２】
前記外層体及び内層体が伸縮可能な繊維生地体又は軟質樹脂材からなると共に、前記内層体は防水性と気密性を有していることを特徴する請求項１に記載した生活雑貨。
【請求項３】
前記膨縮手段が一端に逆止弁付きの空気出入口を設け、他端に前記空気出入口に連通する空気取込用中空円盤を備えた空気吸排具であることを特徴する請求項１又は請求項２に記載した生活雑貨。
【請求項４】
請求項１〜請求項３に記載した生活雑貨が、
膨張時、成人の掌又は／及び指先で把持可能な大きさの形状と厚みを有する指先運動具。
【請求項５】
請求項１〜請求項３に記載した生活雑貨が、
小児、身障者又は非力な高齢者が片手又は両手で把持可能な大きさと重量としている玩具。
【請求項６】
請求項１〜請求項３に記載した生活雑貨が、
前記膨縮手段によって形成される簡易ヘルメット及びヘルメットの一部に取り付けられ、前記ヘルメットと着用者の頭部を好適にフィットさせるヘルメット補助具。
【請求項７】
前記生活雑貨の外層体には文字又は／及び各種キャラクター、図形又は模様がプリントされていることを特徴する請求項１〜請求項６の何れかに記載した生活雑貨。
【考案の詳細な説明】
【技術分野】
【０００１】  本考案は、生活雑貨に係り、より詳しくは、脳の活性化ないしはリハビリに好適な指先運動具、小児や高齢者が喜びと楽しみを感じる玩具、交通事故防止に役立つ簡易ヘルメット及びヘルメット補助具に関する。
【背景技術】
【０００２】  近年の脳医学の研究の結果、指先の運動と頭を使うことは脳の活性化やボケ（老人性痴呆症）の防止に役立つことが発表されている。これに基づいて各種の指先を使う器具や開発され、また市販されている。例えば、特許文献１（第１頁、図１参照）、特許文献２（第１頁、図１参照）等がある。また、小児を対象とした多種類の玩具も市販されているが、小児等はすぐにこれらの玩具に飽きてしまう傾向にある。また、例えば学童等が自転車通学や自転車遊び等の際は、学校の教師たちからはヘルメットの着用を勧めているが、ヘルメットの大きさが学童等の頭囲に合致しない場合があり、学童等は着用することをためらったり着用しないことがあり、なにかのはずみでヘルメットが頭部から落下したり傾いて視界が遮られ転倒して大事故になることがある。【０００３】  特許文献１の「握力助勢具」は、指が湾曲していても装着が容易で、握力がなくても腕の回復訓練ができるようにした握力助勢具の提供を目的とし、その解決手段は、帯状の巻付本体よりなり手首に巻付けて装着すると共に、着脱用としての第１の着脱手段を設けた手首装着帯と、この手首装着帯の中央部の一辺側から延出して、手を握った状態の拳の表裏面を往復した状態で覆うと共に、前記手首装着帯に着脱可能な第２の着脱手段を設けた拳カバーとからなることを特徴としている。【０００４】  また特許文献２の「指先機能回復用運道具」は、落とした胡桃等を一々腰をかがめて拾う必要がなく、しかも長時間手中に把持出来て指先の機能回復の効果を増大する運道具の提供を目的とし、その解決手段は、表面が凹凸状をなす適宜大の略球形体よりなる把握物基体の複数個を適間隔を隔てて紐により連結して把握体を形成し、前記把握物基体の任意の１個と、手首に挿脱自在に挿嵌可能なゴムバンド間を適長の紐により連結したことを特徴としている。
【先行技術文献】
【特許文献】
【０００５】
【特許文献１】特開２００７−１０５４４１号公報
【特許文献２】実開平８−０００３３５号公報
【考案の概要】
【考案が解決しようとする課題】
【０００６】  しかしながら、特許文献１は、装着が複雑、かつ煩瑣であり、何度も同じことを繰り返すので飽きてしまうという欠点があり、また特許文献２は、使用上に問題があり、いずれも実用化されていないと思われる。【０００７】  そこで本願考案者は鋭意検討して従来の生活雑貨が有する不具合や問題点を解消し、かつ飽きのこない生活雑貨を創案した。
本考案における（１）第１の課題は、指先だけの押圧操作のみで随時膨張又は収縮して扁平状にすることが可能であり、かつ製品の梱包、物流や搬送等に要するコストの低減に寄与する生活雑貨を提供することである。
（２）第２の課題は、脳の活性化ないしは各種疾病後のリハビリに好適な指先運動具を提供することである。
（３）第３の課題は、小児、身障者又は非力な高齢者に指先操作で膨張と収縮の変化による楽しさと喜びを感じさせると共に、飽きのこない玩具を提供することである。
（４）第４の課題は、簡単な指先操作により、短時間で制作可能な簡易ヘルメットの提供及びヘルメット着用者の頭部に簡易な膨縮操作で好適にフィットするヘルメット補助具を提供することである。
【課題を解決するための手段】
【０００８】  課題を解決するための手段は、本願、実用新案登録請求の範囲の各請求項に記載の考案であり、その具体的な解決手段は、以下の通りである。
第１の考案は、請求項１に記載の考案であり、
外層体又は外層体と内層体とからなり、前記外層体又は内層体の一部に前記外層体又は外層体と内層体を膨張又は／及び収縮させる膨縮手段が備えられていることを特徴としている。【０００９】  第２の考案は、請求項２に記載の考案であり、
前記外層体及び内層体が伸縮可能な繊維生地体又は軟質樹脂材からなると共に、前記内層体は防水性と気密性を有していることを特徴としている。【００１０】  第３の考案は、請求項３に記載の考案であり、
前記膨縮手段が一端に逆止弁付きの空気出入口を設け、他端に前記空気出入口に連通する空気取込用中空円盤を備えた空気吸排具であることを特徴としている。【００１１】  第４の考案は、請求項４に記載の考案であり、
請求項１〜請求項２に記載した生活雑貨が、膨張時、成人の掌又は／及び指先で把持可能な大きさの形状と厚みを有する指先運動具である。【００１２】  第５の考案は、請求項５に記載の考案であり、
請求項１〜請求項２に記載した生活雑貨が、小児、身障者又は非力な高齢者が片手又は両手で把持可能な大きさと重量としている玩具である。【００１３】  第６の考案は、請求項６に記載の考案であり、
請求項１〜請求項２に記載した生活雑貨が、前記膨縮手段によって形成される簡易ヘルメット及びヘルメットの一部に取り付けられ、前記ヘルメットと着用者の頭部を好適にフィットさせるヘルメット補助具である。【００１４】  第７の考案は、請求項７に記載の考案であり、
前記生活雑貨の外層体には文字又は／及び各種キャラクター、図形又は模様がプリントされていることを特徴としている。
【考案の効果】
【００１５】  請求項１〜請求項３によれば、指先だけの押圧操作のみで随時膨張又は収縮が可能な生活雑貨の提供という第１の課題を解決することができた。【００１６】  請求項４によれば、脳の活性化ないしは各種疾病後のリハビリに好適な指先運動具の提供という第２の課題を解決することができた。【００１７】  請求項５及び請求項７によれば、小児、身障者又は非力な高齢者に楽しさと喜びを感じさせると共に、飽きのこない玩具の提供という第３の課題を解決することができた。【００１８】  請求項６によれば、簡単な指先操作により、短時間で制作可能な簡易ヘルメットの提供及びヘルメット着用者の頭部に簡易な膨縮操作で好適にフィットするヘルメット補助具の提供という第４の課題を解決することができた。
【図面の簡単な説明】
【００１９】
【図１】本考案における生活雑貨の一つである指先運動具の膨張時の斜視図である。
【図２】同使用状態を示す斜視図である。
【図３】図１における３−３線拡大断面図である。
【図４】（イ）は、本考案における生活雑貨の一つであるぬいぐるみの膨張時の正面図、（ロ）は、同背面図である。
【図５】（イ）は、本考案における生活雑貨の一つである玩具の膨張時の正面図、（ロ）は、同背面図である。
【図６】本考案における生活雑貨の一つである起き上がりこぼしの正面図である。
【図７】本考案における生活雑貨の一つである簡易ヘルメットの膨張時の斜視図である。
【図８】ヘルメット補助具の使用状態を示す一部切欠断面斜視図である。
【考案を実施するための形態】
【００２０】  図１は、本考案における生活雑貨Ａの一つである指先運動具Ａ１を膨縮手段（空気吸排具）３により膨張させた時の状態を示している。指先運動具Ａ１は、外層体１と内層体２とからなり、外層体１又は内層体２の一部に外層体１又は外層体１と内層体２を膨張又は／及び収縮させる膨縮手段３が備えられている。
外層体１及び内層体２は、伸縮可能な繊維生地体、例えばナイロン、ポリエステル又はポリウレタン等が好ましく、また軟質樹脂材のポリ塩化ビニール等も外層体１及び内層体２の素材として好適である。特に外層体１は人の手、体の一部に直接触れる機会が多いので肌触りや弾力性等のある上記の素材が選択される。さらに、内層体２は、空気の吸入と排気を繰り返し行うので防水性と気密性を有している素材が選択される。外層体１と内層体２は図示していないが、公知技術である各種の接合手段や接着剤等により一体化されている。指先運動具Ａ１は、膨張ないしは膨満時、成人の掌Ｈ又は／及び指先Ｆで把持可能な大きさの形状と厚みを有している。
指先運動具Ａ１のほぼ中央部における内層体２の一部には膨縮手段である、空気吸排具３（図３、参照）が取り付けられている。空気吸排具３は、内層体２及び外層体１を膨張又は／及び収縮させるためのものであり、一端に逆止弁３ａ付きの空気出入口３ｂを設け、他端には空気出入口３ｂに連通する空気取込用中空円盤（以下、中空円盤３ｃという）を備えている。図１に示す矢印のように指先で何回か下方に向けて「Ｐｕｓｈ」すれば、空気は空気出入口３ｂから内層体２内に徐々に取り込まれ内層体２と外層体１は膨張していき膨満状態とすることができ、内層体２内の空気は、逆止弁３ａにより外方に放出することはない。
【００２１】  図２は、膨張ないしは膨満状態の指先運動具Ａ１の使用状態を示している。指先運動具Ａ１は、成人の掌Ｈ又は／及び指先Ｆで把持可能な大きさの形状と厚みとされているので、片手で指先運動具Ａ１を把持してこれを強く握ったり緩めたりして、所望する回数又は所定の時間、これを繰り返して運動するものである。この指先運動により脳の活性化ないしは各種疾病、例えば脳梗塞羅病後のリハビリに好適な効果を奏することができる。指先運動具Ａ１を収縮するときは、指先で空気出入口３ｂの逆止弁３ａを下方に押し込めば、内層体２内の空気は排出され、図示していないが、ほぼ扁平状となる。したがって、指先運動具Ａ１は、外出時や旅行等における携帯にも便利であり、かつ指先運動具Ａ１のメーカー等は、当該製品を梱包して販売店等への物流、搬送等に要する経費を節減することができる。
【００２２】  図３は、膨縮手段である空気吸排具３の構造を示している。空気吸排具３は、内層体２及び外層体１を膨張又は／及び収縮させるためのものであり、一端に逆止弁３ａ付きの空気出入口３ｂを設け、他端には空気出入口３ｂに連通する中空円盤３ｃを備えている。中空円盤３ｃは、熱可塑性ウレタン、ポリカーボネート等からなり、図１及び図３に示す矢印のように指先で数回下方に向けて「Ｐｕｓｈ」すれば、空気は空気出入口３ｂから内層体２内に徐々に取り込まれ内層体２と外層体１は膨張していき膨満状態とすることができ、内層体２内の空気は、逆止弁３ａにより外方に放出することはない。
【００２３】  図４（イ）、（ロ）は、生活雑貨の一つであるぬいぐるみＡ２が膨張した状態を示している。幼児、小児等は、ぬいぐるみＡ２の背部に取り付けられた空気吸排具３の中空円盤３ｃを指先で数回下方に向けて「Ｐｕｓｈ」すれば図４（イ）、（ロ）のようにふっくらと膨らませることができ逆止弁３ａを押し続ければ、ぬいぐるみＡ２は収縮してほぼ扁平状となる。小児等は膨張と収縮の変化を楽しむことができ、飽きることがない。
【００２４】  図５（イ）、（ロ）は、ピエロの顔面に似せた掴み玩具Ａ３で、顔面の裏面には空気吸排具３が取り付けられている。上記のぬいぐるみＡ２と同様に指先で中空円盤３ｃを数回「Ｐｕｓｈ」すれば図５（イ）、（ロ）のようになり、幼児、小児等はもちろん、身障者、高齢者、リハビリ中の人達も膨張と収縮を行うことができると共に楽しくかつ癒しともなる。掴み玩具Ａ３を収縮するのには逆止弁３ａを押し続けることによってほぼ扁平状となる。
【００２５】  図６は、起き上がりこぼしＡ４の底部に空気吸排具３が取り付けたものである。外層体１は、透明なポリ塩化ビニールが好適で、外層体１の表面には例えば、擬人化した猫のイラストや各種図形Ｐを印刷することができる。起き上がりこぼしＡ４の底部には重錘Ｇが装着されており、小児等はこれを前後左右に揺動して楽しむことができ、また外層体１は、防水性の素材からなっているので入浴時に浴槽内で楽しむことができる。
【００２６】  図７は、小児等はもちろん学生、成人等がサイクリング等を楽しむ際等に着用する簡易ヘルメットＡ５である。空気吸排具３は、簡易ヘルメットＡ５の頂部に取り付けられている。外層体１全体は、気密性を有する素材で形成され、いわばエアーバッグとされており、クッション性と共に軽量で長時間頭部に着用しても違和感なく使用することができ、不意に転倒しても頭部は簡易ヘルメットＡ５のクッション性により大事故となることが防止される。簡易ヘルメットＡ５の使用後は、逆止弁３ａを指先で押し続ければ、簡易ヘルメットＡ５は収縮してほぼ扁平状となるので、ポケットやバッグ等に収納することができる。
【００２７】  図８は、ヘルメット補助具Ａ６としての実施形態である。例えばヘルメットＨを購入したが、使用者の頭囲がヘルメットＨ（緩衝ネットＮ）の頭囲に合わない場合がある。こようなときに使用するもので、少なくともヘルメットＨ（緩衝ネットＮ）の頭囲の約２／３周ないし全周の長さとした中空バンド体４の一部に空気吸排具３を接着剤ないしは接着片（不図示）を介して取り付けるもので、中空円盤３ｃを数回「Ｐｕｓｈ」して中空バンド体４を膨張させて、使用者は自分の頭囲に適切にフィットする状態まで空気を中空バンド体４に送入することができる。ヘルメット補助具Ａ６を収縮するには、逆止弁３ａを指先で押し続ければ簡単に収縮し、ほぼ扁平状となる。
【００２８】  上記の生活雑貨である指先運動具Ａ１、ぬいぐるみＡ２、掴み玩具Ａ３、起き上がりこぼしＡ４、簡易ヘルメットＡ５、ヘルメット補助具…Ａ６の各実施形態について、添付の図面を基にして説明したが、いずれも空気吸排具３の逆止弁３ａを指先等で押し下げて内層体２又は外層体１内の空気を簡単に排出させてほぼ扁平状にすることができ、その形態についての図面は省略している。
【符号の説明】
【００２９】  生活雑貨…Ａ、外層体…１、内層体…２、膨縮手段（空気吸排具）…３、逆止弁…３ａ、空気出入口…３ｂ、空気取込用中空円盤…３ｃ、指先運動具…Ａ１、ぬいぐるみ…Ａ２、掴み玩具…Ａ３、起き上がりこぼし…Ａ４、簡易ヘルメットＡ５、ヘルメット…Ｈ、ヘルメット補助具…Ａ６
【図１】
0003183468.tif 000003
【図２】
0003183468.tif 000004
【図３】
0003183468.tif 000005
【図４】
0003183468.tif 000006
【図５】
0003183468.tif 000007
【図６】
0003183468.tif 000008
【図７】
0003183468.tif 000009
【図８】
0003183468.tif 000010